(57)【特許請求の範囲】
【請求項１】
内輪の外径面に形成されているカム形状部と，外輪に一端が係止され，他端側で前記カム形状部を弾性力で押圧する板ばねとを備える高トルク用ダンパにおいて，
前記カム形状部は，切欠部の下端からトルク発生位置までの範囲は中心からの距離が一定であって，前記トルク発生位置から前記切欠部の上端までは前記内輪の中心からの距離が連続的に増加するように形成されており，前記外輪または内輪の回転に伴い，前記板ばねの前記他端側が前記トルク発生位置から前記切欠部の上端までの範囲にあるときは，前記板ばねの前記他端側が前記カム形状部に与える押圧力が連続的に増加または減少することを特徴とするトルク用ダンパ。
【請求項２】
外輪の内径面に形成されているカム形状部と，内輪に一端が係止され、他端側で前記カム形状部を弾性力で押圧する板ばねとを備える高トルク用ダンパにおいて，
前記カム形状部は，切欠部の下端からトルク発生位置までの範囲は中心からの距離が一定であって，前記トルク発生位置から前記切欠部の上端までは中心からの距離が連続的に減少するように形成されており，前記外輪または内輪の回転に伴い，前記板ばねの前記他端側が前記トルク発生位置から前記切欠部の上端までの範囲にあるときは，前記板ばねの前記他端側が前記カム形状部に与える押圧力が連続的に増加または減少することを特徴とするトルク用ダンパ。
【発明の詳細な説明】
【０００１】
【産業上の利用分野】
本発明は，オイルのような液体を使用しないトルク用ダンパ，特に高いトルクのダンピング作用を発揮するのに適したトルク用ダンパに関する。
【０００２】
【従来の技術】
従来，例えば，ピアノの鍵盤蓋等のような上下開閉式の蓋を操作する場合，急激に閉じるのを防止するために，衝撃緩和装置を設けることが行われる。従来の装置は，例えばオイルダンパのように，オイルを圧縮しようとするとき発生する反発力を利用するものである。
【０００３】
【発明が解決しようとする課題】
しかし，このような従来のダンパにあっては，オイルのような粘性流体の粘性抵抗を利用しているため，環境の変化，特に温度の変化により粘性抵抗が変化するので，温度によりトルク値が異なり，ダンピング効果が異なるという欠点があった。また，可動弁により粘性流体の流量を調節しているので，応答性が悪く，蓋の開きが少ない状態で離すと，ダンピング効果の生じる前に，蓋が勢い良く閉じてしまうという欠点があった。また，蓋の閉じる速度によりトルク値が異なり，手でゆっくりと蓋を閉じる場合には，ダンピング効果を期待できないという欠点があった。
【０００４】
【課題を解決するための手段】
第１の発明は，この課題を解決するため，内輪の外径面に形成されているカム形状部と，外輪に一端が係止され，他端側で前記カム形状部を弾性力で押圧する板ばねとを備えるトルク用ダンパにおいて，前記カム形状部は，切欠部の下端からトルク発生位置までの範囲は中心からの距離がほぼ一定であって，前記トルク発生位置から前記切欠部の上端までは前記内輪の中心からの距離が連続的に増加するように形成されており，前記外輪または内輪の回転に伴い，前記板ばねの前記他端側が前記トルク発生位置から前記切欠部の上端までの範囲にあるときは，前記板ばねの前記他端側が前記カム形状部に与える押圧力が連続的に増加または減少することを特徴とするトルク用ダンパを提供する。
【０００５】
第２の発明は，外輪の内径面に形成されているカム形状部と，内輪に一端が係止され，他端側で前記カム形状部を弾性力で押圧する板ばねとを備えるトルク用ダンパにおいて，前記カム形状部は，切欠部の下端からトルク発生位置までの範囲は中心からの距離が略一定であって，トルク発生位置から切欠部の上端までは中心からの距離が連続的に減少するように形成されており，前記外輪または内輪の回転に伴い，前記板ばねの前記他端側が前記トルク発生位置から前記切欠部の上端までの範囲にあるときは，前記板ばねの前記他端側が前記カム形状部に与える押圧力が連続的に増加または減少することを特徴とするトルク用ダンパを提供する。
【００１０】
【発明の実施の形態】
図１乃至図３は本発明の第１の実施の形態を説明するための図である。
【００１１】
これらの図において，１は外径面にカム形状部１ａが形成された内輪であり，カム形状部１ａは，切欠部１ｂの下端からトルク発生位置１ｃまでの範囲は中心からの距離がほぼ一定，トルク発生位置１ｃから切欠部１ｂの上端までは中心からの距離が連続的に増加するように形成されている。２は内輪１を内部に組み込む外輪，３は一端が開放され，他端に軸の挿通される穴の開いているハウジングであって，開放されている側の内径が，軸の挿通される穴の開いている側の内径よりも大きくなっており，外輪２が開放されている側から組み込まれる。
【００１２】
４は内輪１のカム形状部１ａをローラ５を介して弾性力で押圧するように，内輪１と外輪２間に配設されるへの字状の板ばねであって，一端４ａが外輪の係止用溝２ｄに係止され，他端４ｂはローラを脱落しないで回転できるように保持する構造をしている。６は板ばねとローラを配設して内輪１と外輪２とを組み合わせた後，これらが軸方向に脱落するのを防止するためにハウジング３の開放された側からハウジングに圧入されるシールド板，７は軸である。
【００１２】
４は板ばねであって，外輪２に一端が係止され，他端が内輪１のカム形状部１ａをローラ５を介して弾性力で押圧するように，内輪と外輪間に配設される。６は板ばねとローラを配設して内輪１と外輪２とを組み合わせた後，これらが軸方向に脱落するのを防止するためにハウジング３の開放された側からハウジングに圧入されるシールド板，７は軸である。
【００１３】
図１（ａ）は，ローラ５と内輪のカム形状部１ａとが，切欠部１ｂの下端近傍で接触している状態を示す図であり，同図に示すように，これはこのダンパがピアノ８の鍵盤蓋のような上下開閉式の蓋８ａのヒンジ部８ｂに用いられた場合に，蓋が開いた状態であり，蓋が閉じた状態を０°として，例えば１００°開いた状態である。
【００１４】
図１（ｂ）は，ローラ５と内輪のカム形状部１ａとが，トルク発生位置１ｃで接触している状態を示す図であり，同図に示すように，これは蓋８が中途に開いた状態，例えば７０°開いた状態である。
【００１５】
図１（ｃ）は，ローラ５と内輪のカム形状部１ａとが，切欠部１ｂの上端近傍で接触している状態を示す図であり，同図に示すように，これは蓋８が閉じた状態である。
【００１６】
次に動作を説明する。
【００１７】
先ず，蓋８を開いた状態，例えば図１（ａ）に示すように１００°開いた状態から，中途に開いた状態，例えば図１（ｂ）に示すように７０°開いた状態へ移動すると，内輪１が右方向に回転して，ローラ５は，内輪のカム形状部１ａ上を，切欠部１ｂの下端近傍からトルク発生位置１ｃまで回転しながら移動する。
【００１８】
この範囲では，内輪１の中心からカム形状部１ａまでの距離がほぼ一定であるので，カム形状部１ａ上を移動しようとする方向に発生するトルクはほぼ零である。従って，蓋８を１００°開いた状態から７０°開いた状態へ移動する場合には，蓋は殆どトルクの影響を受けない。
【００１９】
次に，蓋８を図１（ｂ）に示すように７０°開いた状態から，図１（ｃ）に示すように閉じた状態へ移動すると，内輪１が右方向に回転して，ローラ５は，内輪のカム形状部１ａ上を，トルク発生位置１ｃから切欠部１ｂの上端近傍まで回転しながら移動する。
【００２０】
この範囲では，内輪１の中心からカム形状部１ａまでの距離が連続的に増加するように形成されており，内輪のカム形状部１ａの脹らみが連続的に増加しているので，板ばね４も連続的に撓みが増大する。その結果，カム形状部１ａ上を戻ろうとする方向，即ち内輪１を左方向に回転させる方向にトルクが発生する。従って，蓋８を７０°開いた状態から閉じた状態へ移動する場合には，内輪を右方向に回転させて蓋を閉じようとする方向に作用する蓋の自重に対して，発生するトルクは，内輪１を左方向に回転させて蓋を開こうとする方向に作用するので，蓋は徐々に閉じる。
【００２１】
次に，蓋８を図１（ｃ）に示すように閉じた状態から，図１（ｂ）に示すように７０°開いた状態へ移動すると，内輪１が左方向に回転して，ローラ５は，内輪のカム形状部１ａ上を，切欠部１ｂの上端近傍からトルク発生位置１ｃまで回転しながら移動する。
【００２２】
この範囲では，内輪１の中心からカム形状部１ａまでの距離が連続的に減少するように形成されており，内輪のカム形状部１ａの脹らみが連続的に減少しているので，板ばね４も連続的に撓みが減少する。その結果，カム形状部１ａ上を先に進もうとする方向，即ち内輪１を左方向に回転させる方向にトルクが発生する。従って，蓋を閉じた状態から７０°開いた状態へ移動する場合には，内輪を右方向に回転させて蓋を閉じようとする方向に作用する蓋の自重に対して，発生するトルクは，内輪１を左方向に回転させて蓋を開こうとする方向に作用するので，蓋は僅かの力で軽く持ち上げることができる。
【００２３】
次に，蓋８を図１（ｂ）に示すように７０°開いた状態から，図１（ａ）に示すように１００°開いた状態へ移動すると，内輪１が左方向に回転して，ローラ５は，内輪のカム形状部１ａ上を，トルク発生位置１ｃから切欠部１ｂの下端近傍まで回転しながら移動する。
【００２４】
この範囲では，内輪１の中心からカム形状部１ａまでの距離がほぼ一定であるので，カム形状部１ａ上を移動しようとする方向に発生するトルクはほぼ零である。従って，蓋８を７０°開いた状態から１００°開いた状態へ移動する場合には，蓋は殆どトルクの影響を受けない。
【００２５】
ここで，内輪１のカム形状部１ａのトルク発生位置１ｃから切欠部１ｂの上端までは，カム形状部１ａの脹らみが連続的に増加するように形成されているが，その増加率については，必要に応じて種々のものが形成できるので，この発明の高トルク用ダンパは種々の用途に適用することができる。
【００２６】
図４は本発明の第２の実施の形態を説明するための図である。
【００２７】
この実施の形態は，ローラ５を介さないで，板ばね４が内輪のカム形状部１ａ上を滑りながら移動するようにしたものである。また，第１の実施の形態とは内輪のカム形状部１ａのカムの形状を逆にしているので，カム形状部１ａ上を移動しようとする方向に発生するトルクは第１の実施の形態とは逆であり，発生するトルクは内輪を第１の実施の形態の場合とは，逆方向に回転しようとするものである。その他は第１の実施の形態とほぼ同様であり，同様の効果が得られる。
【００２８】
図５乃至図７は本発明の第３の実施の形態を説明するための図である。
【００２９】
これらの図において，１は外輪の内部に組み込まれる内輪，２は内径面にカム形状部２ａが形成された外輪であり，カム形状部２ａは，切欠部２ｂの下端からトルク発生位置２ｃまでの範囲は中心からの距離がほぼ一定，トルク発生位置２ｃから切欠部２ｂの上端までは中心からの距離が連続的に減少するように形成されている。３は一端が開放され，他端に軸の挿通される穴の開いているハウジングであって，開放されている側の内径が，軸の挿通される穴の開いている側の内径よりも大きくなっており，外輪２が開放されている側から組み込まれる。
【００３０】
４は外輪２のカム形状部２ａをローラ５を介して弾性力で押圧するように，内輪１と外輪２間に配設されるへの字状の板ばねであって，一端４ａが内輪の係止用溝１ｄに係止され，他端４ｂはローラを脱落しないで回転できるように保持する構造をしている。６は板ばねとローラを配設して内輪１と外輪２とを組み合わせた後，これらが軸方向に脱落するのを防止するためにハウジング３の開放された側からハウジングに圧入されるシールド板，７は軸である。
【００３１】
図５（ａ）は，ローラ５と外輪のカム形状部２ａとが，切欠部２ｂの下端近傍で接触している状態を示す図であり，同図に示すように，これはこのダンパがピアノ８の鍵盤蓋のような上下開閉式の蓋８ａのヒンジ部８ｂに用いられた場合に，蓋が開いた状態であり，蓋が閉じた状態を０°として，例えば１００°開いた状態である。
【００３２】
図５（ｂ）は，ローラ５と内輪のカム形状部２ａとが，トルク発生位置２ｃで接触している状態を示す図であり，同図に示すように，これは蓋８が中途に開いた状態，例えば７０°開いた状態である。
【００３３】
図５（ｃ）は，ローラ５と内輪のカム形状部２ａとが，切欠部２ｂの上端近傍で接触している状態を示す図であり，同図に示すように，これは蓋８が閉じた状態である。
【００３４】
次に動作を説明する。
【００３５】
先ず，蓋８を開いた状態，例えば図５（ａ）に示すように１００°開いた状態から，中途に開いた状態，例えば図５（ｂ）に示すように７０°開いた状態へ移動すると，内輪１が左方向に回転して，ローラ５は，外輪のカム形状部２ａ上を，切欠部２ｂの下端近傍からトルク発生位置２ｃまで回転しながら移動する。
【００３６】
この範囲では，外輪２の中心からカム形状部２ａまでの距離がほぼ一定であるので，カム形状部２ａ上を移動しようとする方向に発生するトルクはほぼ零である。従って，蓋８を１００°開いた状態から７０°開いた状態へ移動する場合には，蓋は殆どトルクの影響を受けない。
【００３７】
次に，蓋８を図５（ｂ）に示すように７０°開いた状態から，図５（ｃ）に示すように閉じた状態へ移動すると，内輪１が左方向に回転して，ローラ５は，外輪のカム形状部２ａ上を，トルク発生位置２ｃから切欠部２ｂの上端近傍まで回転しながら移動する。
【００３８】
この範囲では，外輪２の中心からカム形状部２ａまでの距離が連続的に減少するように形成されており，外輪のカム形状部２ａの脹らみが連続的に増加しているので，板ばね４も連続的に撓みが増大する。その結果，カム形状部２ａ上を戻ろうとする方向，即ち内輪１を右方向に回転させる方向にトルクが発生する。従って，蓋８を７０°開いた状態から閉じた状態へ移動する場合には，内輪を左方向に回転させて蓋を閉じようとする方向に作用する蓋の自重に対して，発生するトルクは，内輪１を右方向に回転させて蓋を開こうとする方向に作用するので，蓋は徐々に閉じる。
【００３９】
次に，蓋８を図５（ｃ）に示すように閉じた状態から，図５（ｂ）に示すように７０°開いた状態へ移動すると，内輪１が右方向に回転して，ローラ５は，外輪のカム形状部２ａ上を，切欠部２ｂの上端近傍からトルク発生位置２ｃまで回転しながら移動する。
【００４０】
この範囲では，外輪２の中心からカム形状部２ａまでの距離が連続的に増加するように形成されており，外輪のカム形状部２ａの脹らみが連続的に減少しているので，板ばね４も連続的に撓みが減少する。その結果，カム形状部２ａ上を先に進もうとする方向，即ち内輪１を右方向に回転させる方向にトルクが発生する。従って，蓋を閉じた状態から７０°開いた状態へ移動する場合には，内輪を左方向に回転させて蓋を閉じようとする方向に作用する蓋の自重に対して，発生するトルクは，内輪１を右方向に回転させて蓋を開こうとする方向に作用するので，蓋は僅かの力で軽く持ち上げることができる。
【００４１】
次に，蓋８を図５（ｂ）に示すように７０°開いた状態から，図５（ａ）に示すように１００°開いた状態へ移動すると，内輪１が右方向に回転して，ローラ５は，外輪のカム形状部２ａ上を，トルク発生位置２ｃから切欠部２ｂの下端近傍まで回転しながら移動する。
【００４２】
この範囲では，外輪２の中心からカム形状部２ａまでの距離がほぼ一定であるので，カム形状部２ａ上を移動しようとする方向に発生するトルクはほぼ零である。従って，蓋８を７０°開いた状態から１００°開いた状態へ移動する場合には，蓋は殆どトルクの影響を受けない。
【００４３】
ここで，外輪２のカム形状部２ａのトルク発生位置２ｃから切欠部２ｂの上端までは，カム形状部２ａの脹らみが連続的に増加するように形成されているが，その増加率については，必要に応じて種々のものが形成できるので，この発明の高トルク用ダンパは種々の用途に適用することができる。
【００４４】
図８は本発明の第４の実施の形態を説明するための図である。
【００４５】
この実施の形態は，ローラ５を介さないで，板ばね４が外輪のカム形状部２ａ上を滑りながら移動するようにしたものである。また，第３の実施の形態とは外輪のカム形状部２ａのカムの形状を逆にしているので，カム形状部２ａ上を移動しようとする方向に発生するトルクは第３の実施の形態とは逆であり，発生するトルクは内輪を第３の実施の形態の場合とは，逆方向に回転しようとするものである。その他は第３の実施の形態とほぼ同様であり，同様の効果が得られる。
【００４６】
尚，以上の実施の形態においては，外輪を固定して内輪を回転させる場合について説明したが，必要に応じて，内輪を固定して外輪を回転させる場合についても，同様に実施することができる。また，カム形状部を押圧することのできる弾性体であれば，板ばねに限定されることなく，同様に実施することができる。また，必要に応じて，外輪とハウジング，或いは内輪と軸を一体化することができ，その場合には，それぞれハウジング，軸が不要になる。
【００４７】
【発明の効果】
以上説明したように，本発明は粘性流体の粘性抵抗を利用するものではないので，温度の変化のような環境の変化により，トルク値が影響を受けることもなく，常に所望のトルク値，所望のダンピング効果を得ることができる。また，応答性がよく，ピアノの鍵盤蓋等をいずれの状態で離しても，所望のダンピング効果を得ることができるので，上下開閉式の蓋が勢い良く閉じることがない。また，ピアノの鍵盤蓋のように重い蓋に使用した場合にも，トルクが蓋を持ち上げて開く方向に常に働いているので，蓋を比較的軽い力で持ち上げ，開くことができる。
【図面の簡単な説明】
【図１】本発明の第１の実施の形態を説明するための図である。
【図２】本発明の第１の実施の形態を説明するための図である。
【図３】本発明の第１の実施の形態を説明するための図である。
【図４】本発明の第２の実施の形態を説明するための図である。
【図５】本発明の第３の実施の形態を説明するための図である。
【図６】本発明の第３の実施の形態を説明するための図である。
【図７】本発明の第３の実施の形態を説明するための図である。
【図８】本発明の第４の実施の形態を説明するための図である。
【符号の説明】
１…内輪                            １ａ…カム形状部
１ｂ…切欠部                        １ｃ…トルク発生位置
１ｄ…係止用溝                      ２…外輪
２ａ…カム形状部                    ２ｂ…切欠部
２ｃ…トルク発生位置                ２ｄ…係止用溝
３…ハウジング                      ４…板ばね
５…ローラ                          ６…シールド板
７…軸                              ８…ピアノ
８ａ…蓋                            ８ｂ…ヒンジ部
【図１】
0003686148.tif 000002
【図２】
0003686148.tif 000003
【図３】
0003686148.tif 000004
【図４】
0003686148.tif 000005
【図５】
0003686148.tif 000006
【図６】
0003686148.tif 000007
【図７】
0003686148.tif 000008
【図８】
0003686148.tif 000009